(57)【特許請求の範囲】
【請求項１】
シェルフ本体に設けられた基板ユニット収納部にプリント基板ユニットを案内し且つ保持するガイド部材を、シェルフ本体に対して浮動させるフローティング機構を備えたるシェルフ構造において、
前記シェルフ本体は、
左右のサイドプレートと、
マザーボード取付部材と、
ガイド部材を有し、
前記左右のサイドプレートはねじ孔が設けてある取付座部を有し、
前記マザーボード取付部材は左右に水平方向に沿うスリットを有し、
前記ガイド部材は前側部の左寄りに左側Ｕ字溝部と、該前側部の右端部に突出部と、
後側縁部の左右に左右の幅寸法が前記スリットの幅寸法より小さい突起部とを有し、
前記左側Ｕ字溝部は切り欠き部を有する前壁部と、左右方向に長い長孔を有する後壁部とを設け、
前記突出部は左右方向に長い長孔を有する前端面部を設け、
前記突起部を前記スリットに挿入し、前記後壁部の長孔および前記前端面部の長孔から前記取付座部のねじ孔にねじ部材を仮止め状態にすることにより前記ガイド部材が前記シェルフ本体に対して左右方向にフローティングできることを特徴とするシェルフ構造。
【請求項２】
請求項１のシェルフ構造を用いたことを特徴とする電子機器。
【発明の詳細な説明】
【０００１】
【発明の属する技術分野】
本発明は、マザーボードにプラグイン接続するプリント基板ユニットを収納するシェルフ構造とこのシェルフ構造を用いた電子機器に関するものである。
【０００２】
【従来の技術】
従来の電子機器のシェルフ構造としては、例えば、特開平８−３３０７６６号公報に開示されたものがある。このシェルフ構造は、図５及び図６に示すようにシェルフ本体５１を備えており、このシェルフ本体５１は左右のサイドプレート５２、５３を有しており、これらの左右のサイドプレート５２、５３の上端部間には、前後の上段側上部ガイドレール固定部材５５、５６が、その両端部を左右のサイドプレート５２、５３にねじ部材５４で固着されて配置固定してあり、前後の上段側上部ガイドレール固定部材５５、５６には、複数本の上部ガイドレール５７が、その前、後部で固着して設けてあって、これらで上段上部ガイド部材Ｄ１を構成している。
【０００３】
また、左右のサイドプレート５２、５３の中央部間には、前後の上段側下部ガイドレール固定部材５９、６０が、その両端部を左右のサイドプレート５２、５３にねじ部材５８で固着されて配置してあり、前後の上段側下部ガイドレール固定部材５９、６０には、複数本の下部ガイドレール６１が、その前、後部で固着して設けてあって、これらで上段下部ガイド部材Ｄ２を構成している。
【０００４】
また、左右のサイドプレート５２、５３の中央部間には、上段下部ガイド部材Ｄ２の下に位置させて下段上部ガイド部材Ｅ１が、その両端部を左右のサイドプレート５２、５３にねじ部材６２で固着されて配置してあり、この下段上部ガイド部材Ｅ１は、下段側上部ガイドレール固定部材６３の下面に複数本の上部ガイドレール６４を取付けて構成してある。
【０００５】
また、左右のサイドプレート５２、５３の下部間には、下段下部ガイド部材Ｅ２が、その両端部を左右のサイドプレート５２、５３にねじ部材６５で固着されて配置してあり、この下段下部ガイド部材Ｅ２は、下段側上部ガイドレール固定部材６６の上面に複数本の下部ガイドレール６７を取付けて構成してある。
【０００６】
そして、シェルフ本体５１は、上段上部ガイド部材Ｄ１と上段下部ガイド部材Ｄ２との間に形成される上段基板ユニット収納部Ｆ１と、下段上部ガイド部材Ｅ１と下段下部ガイド部材Ｅ２との間に形成される下段基板ユニット収納部Ｆ２とに区分してある。
【０００７】
また、シェルフ本体５１の後面には、上段基板ユニット収納部Ｆ１の後面を構成する上部マザーボード６８が、下段基板ユニット収納部Ｆ２の後面を構成する下部マザーボード６９がそれぞれ配置固定してある。そして、上部マザーボード６８には複数のボード側コネクタ６８Ａが実装してあり、また、下部マザーボード６９には複数のボード側コネクタ６９Ａが実装してある。さらに、上、下部マザーボード６８、６９はケーブル７０により互いに接続してある。
【０００８】
そして、上段のプリント基板ユニット７１は、その上、下縁部を上、下部ガイドレール５７、６１に摺動可能に挿入して押し込むことにより、コネクタ７１Ａをボード側コネクタ６８Ａにプラグイン接続させて、上段基板ユニット収納部Ｆ１に収納してあり、この場合、プリント基板ユニット７１の上、下部に回転可能に取付けられた基板脱着プラグ７１Ｂを、上段側上、下部ガイドレール固定部材５５、５９のＵ字溝部５５ａ、５９ａに係脱可能に係合する。
【０００９】
また、下段のプリント基板ユニット７２、７３は、その上、下縁部を上、下部ガイドレール６４、６７に摺動可能に挿入して押し込むことにより、コネクタ７２Ａ，７３Ａをボード側コネクタ６９Ａにプラグイン接続させて、下段基板ユニット収納部Ｆ２に収納してあり、この場合、プリント基板ユニット７２、７３の上、下部に回転可能に取付けられた基板脱着プラグ７２Ｂ、７３Ｂを、下段側上、下部ガイドレール固定部材６３、６６のＵ字溝部６３ａ、６６ａに係脱可能に係合する。
【００１０】
そして、上、下段のプリント基板ユニット７１、７２、７３の抜き出しは、基板脱着プラグ７１Ｂ、７２Ｂを回転させることにより、テコの原理を応用してコネクタ７１Ａ、７２Ａ、７３Ａをボード側コネクタ６８Ａ、６９Ａから外して、引き出して行う。
【００１１】
【発明が解決しようとする課題】
しかしながら、上記した従来の電子機器のシェルフ構造にあっては、下段下部ガイド部材Ｅ２が、左右のサイドプレート５２、５３の下部間に、その両端部を左右のサイドプレート５２、５３にねじ部材６５で固着されて配置してあるために、下段下部ガイド部材Ｅ２と下段のプリント基板ユニット７２、７３との嵌合調整が必要になり、組立性が悪いという問題点があったし、また、上部マザーボード６８と下部マザーボード６９とがあるために、上、下部マザーボード６８、６９をケーブル７０により互いに接続する必要があり、ケーブル７０が必要になって部品点数が増えるという問題点があった。
【００１２】
本発明は、上記の問題点に着目して成されたものであって、その第１の目的とするところは、ガイド部材とプリント基板ユニットとの嵌合調整が不要になり、組立性の向上が図れ、工数の削減が可能になるし、また、上下のマザーボードを接続するためのケーブルが不要になるシェルフ構造を提供することにある。
【００１３】
また、本発明の第２の目的とするところは、ガイド部材とプリント基板ユニットとの嵌合調整が不要になり、組立性の向上が図れ、工数の削減が可能になるし、また、上下のマザーボードを接続するためのケーブルが不要になるシェルフ構造を備えた電子機器を提供することにある。
【００１４】
【課題を解決するための手段】
上記の第１の目的を達成するために、請求項１の発明に係るシェルフ構造は、シェルフ本体に設けられた基板ユニット収納部にプリント基板ユニットを案内し且つ保持するガイド部材を、シェルフ本体に対して浮動させるフローティング機構を備えたるシェルフ構造において、前記シェルフ本体は、左右のサイドプレートと、マザーボード取付部材と、ガイド部材を有し、前記左右のサイドプレートはねじ孔が設けてある取付座部を有し、前記マザーボード取付部材は左右に水平方向に沿うスリットを有し、前記ガイド部材は前側部の左寄りに左側Ｕ字溝部と、該前側部の右端部に突出部と、後側縁部の左右に左右の幅寸法が前記スリットの幅寸法より小さい突起部とを有し、前記左側Ｕ字溝部は切り欠き部を有する前壁部と、左右方向に長い長孔を有する後壁部とを設け、前記突出部は左右方向に長い長孔を有する前端面部を設け、前記突起部を前記スリットに挿入し、前記後壁部の長孔および前記前端面部の長孔から前記取付座部のねじ孔にねじ部材を仮止め状態にすることにより前記ガイド部材が前記シェルフ本体に対して左右方向にフローティングできることを特徴とする。
【００１８】
また、上記の第２の目的を達成するために、請求項２の発明に係る電子機器は、請求項１のシェルフ構造を用いたことを特徴とする。
【００１９】
したがって、本発明に係るシェルフ構造によれば、ガイド部材とプリント基板ユニットとの嵌合調整が不要になり、組立性の向上が図れ、工数の削減が可能になるし、また、上下のマザーボードを接続するためのケーブルが不要になる。
【００２０】
また、本発明に係る電子機器によれば、ガイド部材とプリント基板ユニットとの嵌合調整が不要になり、組立性の向上が図れ、工数の削減が可能になるし、また、上下のマザーボードを接続するためのケーブルが不要になるシェルフ構造を備えた電子機器を提供することができる。
【００２１】
【発明の実施の形態】
請求項１の発明に係るシェルフ構造は、シェルフ本体に設けられた基板ユニット収納部にプリント基板ユニットを案内し且つ保持するガイド部材を、シェルフ本体に対して浮動させるフローティング機構を備えたるシェルフ構造において、前記シェルフ本体は、左右のサイドプレートと、マザーボード取付部材と、ガイド部材を有し、前記左右のサイドプレートはねじ孔が設けてある取付座部を有し、前記マザーボード取付部材は左右に水平方向に沿うスリットを有し、前記ガイド部材は前側部の左寄りに左側Ｕ字溝部と、該前側部の右端部に突出部と、後側縁部の左右に左右の幅寸法が前記スリットの幅寸法より小さい突起部とを有し、前記左側Ｕ字溝部は切り欠き部を有する前壁部と、左右方向に長い長孔を有する後壁部とを設け、前記突出部は左右方向に長い長孔を有する前端面部を設け、前記突起部を前記スリットに挿入し、前記後壁部の長孔および前記前端面部の長孔から前記取付座部のねじ孔にねじ部材を仮止め状態にすることにより前記ガイド部材が前記シェルフ本体に対して左右方向にフローティングできることを特徴とする。
【００２２】
かかる構成により、フローティング機構により、ガイド部材が、例えば、左右方向に動くことができるので、ガイド部材とプリント基板ユニットとの嵌合調整が不要になり、組立性の向上が図れ、工数の削減が可能になる。
【００２４】
また、かかる構成により、ガイド部材の突起部はスリットに対して相対的に動き得て、ガイド部材が、例えば、左右方向に動くことができるので、ガイド部材とプリント基板ユニットとの嵌合調整が不要になり、組立性の向上が図れ、工数の削減が可能になる。
【００２９】
また、請求項２の発明に係る電子機器は、請求項１のシェルフ構造を用いたことを特徴とする。
【００３０】
かかる構成により、ガイド部材とプリント基板ユニットとの嵌合調整が不要になり、組立性の向上が図れ、工数の削減が可能になるし、また、上下のマザーボードを接続するためのケーブルが不要になるシェルフ構造を備えた電子機器を提供することができる。
【００３１】
以下、本発明の実施の形態を図面に基づいて説明する。
【００３２】
図１は本発明に係るシェルフ構造の斜視図、図２は同シェルフ構造の正面図、図３は図１のＸ−Ｘ線に沿う断面図、図４は下段下部ガイド部材の斜視図である。
【００３３】
本発明に係る電子機器のシェルフ構造はシェルフ本体１を備えており、このシェルフ本体１は、左右のサイドプレート２、３と、下側プレート４と、マザーボード取付部材１５とを有しており、これらの左右のサイドプレート２、３の下端部は下側プレート４により互いに連結してある。また、左右のサイドプレート２、３の下側前部には、内方向に突出させて取付座部１８、１９が設けてあり、これらの取付座部１８、１９にはねじ孔１８ａ、１９ａが設けてある（図２、図４参照）。
【００３４】
また、シェルフ本体１の後面側の下部には、プレート状のマザーボード取付部材１５が、その左、右端部を左右のサイドプレート２、３の後端部に固着して設けてあり、このマザーボード取付部材１５の下部の左右には水平方向に沿うスリット１６、１７が形成してある。
【００３５】
そして、左右のサイドプレート２、３の上端部間には、前後の上段側上部ガイドレール固定部材５、６が配置してあり、これらの上段側上部ガイドレール固定部材５、６の左端部は左のサイドプレート２に、上段側上部ガイドレール固定部材５、６の右端部は右のサイドプレート３にそれぞれ複数本の固定ねじ７により取付けてある。前側の上段側上部ガイドレール固定部材５の前縁部にはＵ字溝部３６Ａが形成してある。
【００３６】
そして、前後の上段側上部ガイドレール固定部材５、６には、複数本の上部ガイドレール８が、その前、後部で固着して設けてあって、これらで上段上部ガイド部材Ａ１を構成している。
【００３７】
また、左右のサイドプレート２、３の中央部間には、前後の上段側下部ガイドレール固定部材９、１０が配置してあり、これらの上段側下部ガイドレール固定部材９、１０の左端部は左のサイドプレート２に、上段側下部ガイドレール固定部材９、１０の右端部は右のサイドプレート３にそれぞれ複数本の固定ねじ７−１により取付けてある。前側の上段側下部ガイドレール固定部材９の前縁部にはＵ字溝部３６Ｂが形成してある。
【００３８】
そして、前後の上段側下部ガイドレール固定部材９、１０には、複数本の下部ガイドレール１１が、その前、後部で固着して設けてあって、これらで上段下部ガイド部材Ａ２を構成している。この場合、下部ガイドレール１１は上部イドレール８に対向している。
【００３９】
また、左右のサイドプレート２、３の中央部間には、上段下部ガイド部材Ａ２の下に位置させて下段上部ガイド部材Ｂ１が配置してあり、この下段上部ガイド部材Ｂ１は、下段側上部ガイドレール固定部材１２の下面に複数本の上部ガイドレール１３を取付けて構成してある。下段上部ガイド部材Ｂ１の前縁部には左、右Ｕ字溝部３７Ａ，３８Ａが形成してある。
【００４０】
そして、下段上部ガイド部材Ｂ１は、その下段側上部ガイドレール固定部材１２の左端部を左のサイドプレート２に、右端部を右のサイドプレート３にそれぞれ複数本の固定ねじ（図示せず）により取付けてある。
【００４１】
また、左右のサイドプレート２、３の下部間にはフローティング機構を介して下段下部ガイド部材Ｂ２が配置固定してある。この下段下部ガイド部材Ｂ２は、下段側下部ガイドレール固定部材２０の上面に複数本の下部ガイドレール２１を取付けて構成してある。
【００４２】
すなわち、下段側下部ガイドレール固定部材２０は、図４に示すようにプレート状の部材本体２０Ａを有しており、この部材本体２０Ａの前側部には、その右寄りに切欠き部２２が形成してあり、部材本体２０Ａの前側部には、その左寄りに位置する左側Ｕ字溝部２３と、切欠き部２２の前縁部に位置する右側Ｕ字溝部２４と、その右端部に位置する突出部２５とが形成してあり、左側Ｕ字溝部２３の前壁部２３ａには切欠き部２６ａが、後壁部２３ｂには左右方向に長い長孔２６がそれぞれ形成してあり、また、突出部２５の前端面部２５ａには左右方向に長い長孔２７が形成してある。また、部材本体２１Ａの後側縁部には、その左右に位置させて突起部２８、２９が形成してある。これらの突起部２８、２９の幅寸法Ｌ１は、スリット１６、１７の幅寸法Ｌ２より小さくしてある。
【００４３】
そして、下段側下部ガイドレール固定部材２０の上面には複数本の下部ガイドレール２１が取付けてあって、下段下部ガイド部材Ｂ２が構成してある。
【００４４】
この下段下部ガイド部材Ｂ２は、その後端部の左右の突起部２８、２９を、マザーボード取付部材１５の下部のスリット１６、１７に挿入し、左側Ｕ字溝部２３の後壁部２３ｂを左の取付座部１８に当接し、突出部２５の前端面部２５ａの裏側を右の取付座部１９に当接して、ねじ部材３０を後壁部２３ｂの長孔２６から取付座部１８のねじ孔１８ａに螺合し、ねじ部材３１を突出部２５の前端面部２５ａの長孔２７から取付座部１９のねじ孔１９ａに螺合することで、左右のサイドプレート２、３の下部に取付けてある。
【００４５】
この場合、下段下部ガイド部材Ｂ２の前縁部におけるねじ部材３０、３１を締め付けることなく、仮止め状態にしておくことにより、ねじ部材３０、３１は長孔２６、２７に対して左右方向に相対的に動き得るし、また、左右の突起部２８、２９はスリット１６、１７に対して左右方向に相対的に動き得る。このために、下段下部ガイド部材Ｂ２は左右方向にフローティングできるようになる。
【００４６】
そして、シェルフ本体１は、上段上部ガイド部材Ａ１と上段下部ガイド部材Ａ２との間に形成される上段基板ユニット収納部Ｃ１と、下段上部ガイド部材Ｂ１と下段下部ガイド部材Ｂ２との間に形成される下段基板ユニット収納部Ｃ２とに区分してある。
【００４７】
また、シェルフ本体１の後面には、上段基板ユニット収納部Ｃ１から下段基板ユニット収納部Ｃ２の上部にかけてマザーボード３２が配設してある。すなわち、マザーボード３２は、その上端部３２ａを、後側の上段側上部ガイドレール固定部材６の後端部に、その左、右端部を左右のサイドプレート２、３の後端部に、その下端部３２ｄをマザーボード取付部材１５の上端部にそれぞれねじ部材３３により取付けてある。
【００４８】
そして、マザーボード３２には、上段基板ユニット収納部Ｃ１に収納される上段の複数のプリント基板ユニット４０のコネクタ４０Ａが接続される複数のボード側コネクタ３４と、下段基板ユニット収納部Ｃ２に収納される下段の複数のプリント基板ユニット４１、４２のコネクタ４１Ａ，４２Ａが接続される複数のボード側コネクタ３５とがそれぞれ実装してある。
【００４９】
そして、上段のプリント基板ユニット４０は、その上、下縁部を上、下部ガイドレール８、１１に摺動可能に挿入して押し込むことにより、コネクタ４０Ａをボード側コネクタ３４にプラグイン接続させて、上段基板ユニット収納部Ｃ１に収納してあり、この場合、プリント基板ユニット４０の上、下部に回転可能に取付けられた基板脱着プラグ４３を、上段側上、下部ガイドレール固定部材５、９のＵ字溝部３６Ａ、３６Ｂに係脱可能に係合する。
【００５０】
また、下段のプリント基板ユニット４１、４２は、その上、下縁部を上、下部ガイドレール１３、２１に摺動可能に挿入して押し込むことにより、コネクタ４１Ａ，４２Ａをボード側コネクタ３５にプラグイン接続させて、下段基板ユニット収納部Ｃ２に収納してあり、この場合、プリント基板ユニット４１、４２の上、下部に回転可能に取付けられた基板脱着プラグ４３−１を、下段側上、下部ガイドレール固定部材１２、２０のＵ字溝部３７Ａ、２３、２４に係脱可能に係合する。
【００５１】
この場合、下段下部ガイド部材Ｂ２の前縁部を固定するねじ部材３０、３１を取付座部１８、１９に締め付けることなく、仮止め状態にしてあるために、ねじ部材３０、３１は長孔２６、２７に対して左右方向に相対的に動き得るし、また、左右の突起部２８、２９はスリット１６、１７に対して左右方向に相対的に動き得て、下段下部ガイド部材Ｂ２が左右方向に動くことができるので、下段下部ガイド部材Ｂ２と下段のプリント基板ユニット４１、４２との嵌合調整が不要になり、組立性の向上が図れ、工数の削減が可能になる。
【００５２】
そして、上、下段のプリント基板ユニット４０、４１、４２の抜き出しは、基板脱着プラグ４３、４３−１を回転させることにより、テコの原理を応用してコネクタ４０Ａ、４１Ａ、４２Ａをボード側コネクタ３４、３５から引き出して行う。
【００５３】
また、マザーボード３２は、上段基板ユニット収納部Ｃ１から下段基板ユニット収納部Ｃ２の上部にかけて配設してあって、従来の電子機器のシェルフ構造の場合の上下のマザーボードを一体化したために、上下のマザーボードを接続するためのケーブルが不要になる。
【００５４】
【発明の効果】
以上説明したように、請求項１の発明に係るシェルフ構造によれば、フローティング機構により、ガイド部材が、例えば、左右方向に動くことができるので、ガイド部材とプリント基板ユニットとの嵌合調整が不要になり、組立性の向上が図れ、工数の削減が可能になる。
【００５５】
また、請求項１の発明に係るシェルフ構造によれば、フローティング機構を、少なくとも、ガイド部材の縁部に突起部を設け、シェルフ本体側に突起部の幅寸法より大きい幅寸法を有するスリットを設け、突起部をスリットに挿入して構成したことにより、ガイド部材の突起部はスリットに対して相対的に動き得て、ガイド部材が、例えば、左右方向に動くことができるので、ガイド部材とプリント基板ユニットとの嵌合調整が不要となり、組立性の向上が図れ、工数の削減が可能になる。
【００５８】
また、請求項２の発明に係る電子機器によれば、ガイド部材とプリント基板ユニットとの嵌合調整が不要になり、組立性の向上が図れ、工数の削減が可能になるし、また、上下のマザーボードを接続するためのケーブルが不要になるシェルフ構造を備えた電子機器を提供することができる。
【図面の簡単な説明】
【図１】本発明に係るシェルフ構造の斜視図
【図２】同シェルフ構造の正面図
【図３】図１のＸ−Ｘ線に沿う断面図
【図４】下段下部ガイド部材の斜視図
【図５】従来のシェルフ構造の斜視図
【図６】図５のＹ−Ｙ線に沿う断面図
【符号の説明】
１  シェルフ本体
１６  スリット
１７  スリット
２８  突起部
２９  突起部
３２  マザーボード
４０  プリント基板ユニット
４１  プリント基板ユニット
４２  プリント基板ユニット
Ｂ１  下段下部ガイド部材（ガイド部材）
Ｃ１  上段基板ユニット収納部（基板ユニット収納部）
Ｃ２  下段基板ユニット収納部（基板ユニット収納部）
【図１】
0004217304.tif 000002
【図２】
0004217304.tif 000003
【図３】
0004217304.tif 000004
【図４】
0004217304.tif 000005
【図５】
0004217304.tif 000006
【図６】
0004217304.tif 000007